(57)【要約】【課題】本発明は、認証サーバーによって認証されたユーザーが画像読取装置を初めて使用する場合でも、当該ユーザーが面倒な設定を行うことなく、管理者により予め設定された初期設定情報に基づいて画像読取装置を容易に使用することができる画像読取装置を提供する。【解決手段】本画像読取装置は、ネットワークを介して認証サーバーに接続されており、当該認証サーバー１０２によって認証されたユーザーが初めて画像読取装置１０１を使用する際に、初期設定情報記憶領域３０８内に記憶されている初期設定情報を、ユーザー固有の設定情報としてユーザー情報記憶領域に複製して記憶させる。【選択図】図３
2008153750.tif 000002
【特許請求の範囲】
【請求項１】
ネットワークを介して接続された認証サーバーとの間でユーザー認証を行う認証手段と、前記認証されたユーザーに対してユーザー固有の設定情報を設定するユーザー設定情報設定手段と、前記設定されたユーザー固有の設定情報をユーザー毎に記憶するユーザー設定情報記憶手段とを備える画像読取装置において、
前記画像読取装置の初期設定に関する初期設定情報を記憶する初期設定情報記憶手段と、
前記認証されたユーザーが前記画像読取装置を初めて使用する場合、前記初期設定情報記憶手段に記憶されている初期設定情報を前記ユーザー固有の設定情報として前記ユーザー設定情報記憶手段に複製して記憶させる初期設定情報複製手段とを備えることを特徴とする画像読取装置。
【請求項２】
前記初期設定情報複製手段は、前記ユーザー設定情報記憶手段内に前記ユーザー固有の設定情報を記憶させるための個人管理領域を作成し、前記初期設定情報を前記ユーザー固有の設定情報として前記個人管理領域に複製して記憶させることを特徴とする請求項１記載の画像読取装置。
【請求項３】
前記個人管理領域に前記初期設定情報を複製させることで記憶されたユーザー固有の設定情報を変更するユーザー設定情報変更手段を更に備えることを特徴とする請求項２記載の画像読取装置。
【請求項４】
前記初期設定情報記憶手段に記憶されている初期設定情報を変更する初期設定情報変更手段を更に備えることを特徴とする請求項１乃至３のいずれか１項に記載の画像読取装置。
【請求項５】
前記初期設定情報には、読取設定情報と機能制限情報とが含まれることを特徴とする請求項１乃至４のいずれか１項に記載の画像読取装置。
【請求項６】
前記機能制限情報を変更する機能制限情報変更手段を更に備えることを特徴とする請求項５記載の画像読取装置。
【請求項７】
前記ユーザー設定情報設定手段は、前記ユーザー設定情報記憶手段に前記ユーザー固有の設定情報として記憶された初期設定情報を変更することを特徴とする請求項１乃至６のいずれか１項に記載の画像読取装置。
【請求項８】
ネットワークを介して接続された認証サーバーとの間でユーザー認証を行う認証手段と、前記認証されたユーザーに対してユーザー固有の設定情報を設定するユーザー設定情報設定手段と、前記設定されたユーザー固有の設定情報をユーザー毎に記憶するユーザー設定情報記憶手段とを備える画像読取装置の制御方法において、
前記認証されたユーザーが前記画像読取装置を初めて使用する場合、前記画像読取装置の初期設定に関する初期設定情報を記憶する初期設定情報記憶手段に記憶されている初期設定情報を、前記ユーザー固有の設定情報として前記ユーザー設定情報記憶手段に複製して記憶させることを特徴とする制御方法。
【請求項９】
請求項８記載の制御方法をコンピュータに実行させるためのコンピュータに読み取り可能なプログラム。
【発明の詳細な説明】
【技術分野】
【０００１】
本発明は、画像読取装置及びその制御方法、並びにプログラムに関し、特に、少ない記憶容量で効率よくユーザー管理を行うことが可能な画像読取装置及びその制御方法、並びにプログラムに関するものである。
【背景技術】
【０００２】
ネットワークに接続された複数のパーソナルコンピュータ（以下、「ＰＣ」という。）を使用している複数のユーザーが、スキャナやファックス、プリンタ、複写機などのネットワークリソースを共用することが行われている。
【０００３】
ネットワークに接続されて共用されるネットワークスキャナとしては、ＰＣ側で読取解像度や読取原稿サイズなどを設定するスキャン設定を行い、原稿をスキャナに持って行きスキャンさせるＰＵＬＬ型のスキャナと、スキャナ側で当該スキャン設定を行い、スキャンさせるＰＵＳＨ型のスキャナとがある。
【０００４】
ＰＵＳＨ型のスキャナの場合、１つのスキャン設定情報しか記憶できない仕様であるときは、各ユーザーが使用を開始する度に必ずデフォルトのスキャン設定に戻ってしまうか、別のユーザーがスキャン設定を変更してしまうため、使用する度に自分に合ったスキャン設定に再設定しなくてはならない。
【０００５】
また、メール送信、ファイル保存、プリントなどの複数の機能を有する装置において、機密情報の漏洩を防止するセキュリティ対策のためには、ユーザーが使用できる機能に制限を設け、業務上必要な最低限の操作のみを許可するようにユーザー毎に設定を変更できる方が好ましい。このようにスキャン設定情報の再設定を行う手間を省くため、また機密情報の漏洩を防止するためには、ユーザー個別の設定情報の管理が必要になる。
【０００６】
一方、ユーザー毎に設定情報を管理する画像読取装置等の場合、新規のユーザーに当該装置の使用を許可する際に、管理者が当該装置に対してユーザーの登録を行う必要がある。また、セキュリティ管理を厳しく行う場合は、ユーザー毎に当該装置の機能の使用についての制限を管理者が設定する。例えば、ユーザー認証を行い、ユーザー毎に操作環境設定を管理する技術が開示されている（特許文献１及び特許文献２参照）。
【０００７】
また、ユーザー毎の設定情報を個別に管理する方法としては、管理者が予め画像読取装置を使用する可能性のある全てのユーザーを登録し、画像読取装置内の記憶装置やメモリにユーザー毎の設定情報を予め記憶させておく方法がある。
【０００８】
また、ユーザー毎に機能制限を設定するのではなく、画像読取装置毎に機能制限を設け、１台の画像読取装置を使用する全てのユーザーに対して同一の機能制限をすることもある。
【特許文献１】特開平１０−１４９０６１号公報
【特許文献２】特開２００１−３０６２０４号公報
【発明の開示】
【発明が解決しようとする課題】
【０００９】
しかしながら、ユーザー毎に設定情報を管理する画像読取装置の場合、業務内容や所属が同一であるユーザーに対しては同じ設定を適用することが多い。このとき、デフォルトのスキャン設定情報等である初期設定情報を変更することのできない装置であると、多くのユーザーに対して同じ設定情報を設定するにもかかわらず、管理者は登録の度に、デフォルトの初期設定情報を元にして設定する作業を行わなければならない。このように登録するユーザーが多い場合には、管理者にかなりの負担がかかっていた。
【００１０】
また、上述した画像読取装置内の記憶装置等にユーザー毎の設定情報を予め記憶させる方法では、以下のような問題がある。
【００１１】
例えば、認証サーバーと複数の画像読取装置とがネットワークを介して相互に接続され、認証サーバー内の記憶装置に作成されたアクティブディレクトリに１万人のユーザーが登録され、ユーザーＩＤとパスワードを用いて画像読取装置を使用するユーザーの認証を行うシステムがある。また、この画像読取装置はユーザー毎に機能を制限することが可能であり、全てのユーザーは各ユーザーの業務内容に応じた機能制限付きで画像読取装置の使用を許可されているものとする。このシステムでは、各画像読取装置を使用するユーザーが約１０人程度である場合、使用する可能性のある全てのユーザーを画像読取装置に登録し、登録されたユーザー毎の設定情報を予め画像読取装置の内部に記憶させておく方法であると、認証サーバー上に登録された１万人分のユーザー情報と、各ユーザーのユーザー設定情報を画像読取装置内のメモリ等に記憶しなくてはならない。
【００１２】
しかし、１万人分のユーザー情報とユーザー設定情報を記憶するための大容量のメモリ等を画像読取装置内に設けるのは、現実的に不可能である。また、記憶したユーザー設定情報のほとんど全てが当該装置を使用しないユーザーのためのユーザー設定情報であり、メモリ等の記憶領域が無駄に消費される。
【００１３】
また、上述した１台の画像読取装置を使用する全てのユーザーに対して同一の機能制限をするような画像読取装置の場合、ある特定のユーザーの機能制限設定だけを変えることができない。そのような画像読取装置を使用する場合、あるユーザーだけに限定して使用権限を付与できず、ユーザーが希望しても機能が使用できないということになる。
【００１４】
本発明は、上記問題に鑑みて成されたものであり、認証サーバーによって認証されたユーザーが画像読取装置を初めて使用する場合でも、当該ユーザーが面倒な設定を行うことなく、管理者により予め設定された初期設定情報に基づいて画像読取装置を容易に使用することができる画像読取装置及びその制御方法、並びにプログラムを提供することを目的とする。
【課題を解決するための手段】
【００１５】
上記目的を達成するために、請求項１記載の画像読取装置は、ネットワークを介して接続された認証サーバーとの間でユーザー認証を行う認証手段と、前記認証されたユーザーに対してユーザー固有の設定情報を設定するユーザー設定情報設定手段と、前記設定されたユーザー固有の設定情報をユーザー毎に記憶するユーザー設定情報記憶手段とを備える画像読取装置において、前記画像読取装置の初期設定に関する初期設定情報を記憶する初期設定情報記憶手段と、前記認証されたユーザーが前記画像読取装置を初めて使用する場合、前記初期設定情報記憶手段に記憶されている初期設定情報を前記ユーザー固有の設定情報として前記ユーザー設定情報記憶手段に複製して記憶させる初期設定情報複製手段とを備えることを特徴とする。
【００１６】
上記目的を達成するために、請求項８記載の画像読取装置の制御方法は、ネットワークを介して接続された認証サーバーとの間でユーザー認証を行う認証手段と、前記認証されたユーザーに対してユーザー固有の設定情報を設定するユーザー設定情報設定手段と、前記設定されたユーザー固有の設定情報をユーザー毎に記憶するユーザー設定情報記憶手段とを備える画像読取装置の制御方法において、前記認証されたユーザーが前記画像読取装置を初めて使用する場合、前記画像読取装置の初期設定に関する初期設定情報を記憶する初期設定情報記憶手段に記憶されている初期設定情報を、前記ユーザー固有の設定情報として前記ユーザー設定情報記憶手段に複製して記憶させることを特徴とする。
【発明の効果】
【００１７】
本発明によれば、認証サーバーにより認証されたユーザーが画像読取装置を初めて使用する場合、初期設定情報記憶手段に記憶されている初期設定情報をユーザー固有の設定情報としてユーザー設定情報記憶手段に複製して記憶させる。これにより、認証サーバーによって認証されたユーザーが画像読取装置を初めて使用する場合でも、当該ユーザーが面倒な設定を行うことなく、管理者により予め設定された初期設定情報に基づいて画像読取装置を容易に使用することができる。
【００１８】
また、本発明によれば、ユーザー設定情報記憶手段内にユーザー固有の設定情報を記憶させるための個人管理領域を作成し、初期設定情報をユーザー固有の設定情報として個人管理領域に複製して記憶させる。これにより、画像読取装置を初めて使用するユーザーのための無駄な記憶領域を確保する必要がなく、メモリを効率よく使用することができる。
【００１９】
また、本発明によれば、個人管理領域に初期設定情報を複製させることで記憶されたユーザー固有の設定情報を変更することにより、管理者がユーザー毎に機能制限設定を変更できるため、権限の異なるユーザーに対して、異なる機能制限を行うことができる。
【００２０】
また、本発明によれば、初期設定情報記憶手段に記憶されている初期設定情報を変更することにより、管理者は複数のユーザーが共通して使う設定情報等を画像読取装置に記憶させておけるので、管理者がユーザー固有の設定情報を一人ずつ変更して設定し直す必要がなく、手間を軽減することができる。
【発明を実施するための最良の形態】
【００２１】
以下、本発明の実施の形態を図面を参照して詳細に説明する。
【００２２】
図１は、本発明の実施形態に係る画像読取装置を備えるシステムの全体構成を示す図である。
【００２３】
図１において、画像読取装置１０１は、メール送信、ＦＴＰ（File Transfer Protocol）送信、ファイル送信などの複数の機能を備えている。画像読取装置１０１は、ネットワーク１０４を介して認証サーバー１０２、複数のユーザーＰＣ１０３に接続されている。
【００２４】
図２は、図１の画像読取装置１０１の概略構成を示すブロック図である。
【００２５】
図２において、画像読取装置１０１は、制御手段としてのＣＰＵ３０３と、操作画面を表示するためのディスプレイ３０２と、操作者が操作を指示するためのキーボード３０６及びタッチパネル３０７と、原稿等から画像を読み取る画像読取部３０１と、書き換え可能な記憶手段としてのメモリ３０４とを備える。ディスプレイ３０２、キーボード３０６、タッチパネル３０７、画像読取部３０１、及びメモリ３０４はＣＰＵ３０３に接続されている。
【００２６】
メモリ３０４内には、ユーザー用の個人管理領域として作成され、各ユーザー固有の設定情報を記憶するためのユーザー情報記憶領域３０５，３１０，３１１，３１２と、画像読取装置の初期設定に関する初期設定情報を記憶するための初期設定情報記憶領域３０８とが割り当てられている。
【００２７】
各ユーザー情報記憶領域３０５，３１０，３１１，３１２には、ユーザー固有の設定情報として、各ユーザー情報記憶領域を識別するためのユーザー情報ＩＤと、読み取った画像データの保存先のパスや解像度、読取モード、画像データのファイル形式、原稿サイズなどの読取設定情報と、プリント機能やメール送信機能の使用やアドレス帳の使用が許可されているか禁止されているかを判別するための機能制限情報が記憶されている。例えば、ユーザー情報記憶領域３０５では、ユーザー情報ＩＤが領域３０５ａに記憶され、読取設定情報が領域３０５ｂに記憶され、機能制限情報が領域３０５ｃに記憶される。
【００２８】
一方、初期設定情報記憶領域３０８には、導入時に予め記憶されていたか、または予め管理者により設定された読取設定情報及び機能制限情報等の初期設定情報が保存されている。
【００２９】
画像読取装置１０１を新規に使用するユーザーがあるときは、メモリ３０４内に当該新規ユーザー用の新たなユーザー情報記憶領域が作成され、作成されたユーザー情報記憶領域に新規ユーザーが割り当てられる、そのため、メモリ３０４内には、新規ユーザーの増加に対応できるように、新たなユーザー情報記憶領域を割り当てるためのメモリ領域が予め確保されている。なお、メモリ３０４内に確保するメモリ領域の大きさ（容量）は、ユーザー情報記憶領域の数に応じて自動的に変更するようにしてもよい。また、メモリ３０４に保存することが可能なユーザー情報記憶領域の数を適宜変更できるようにしてもよい。
【００３０】
図３は、図１の画像読取装置１０１で画像読取処理前に実行されるユーザー認証処理のフローチャートである。図４は、画像読取装置１０１のディスプレイ３０２に表示される初期画面の一例を示す図である。図５は、認証失敗時に表示するエラー表示画面の一例を示す図である。図６は、登録エラー時に表示するエラー画面の一例を示す図である。なお、図３の処理は、画像読取装置１０１内のＣＰＵ３０３によって実行されるものである。また、画像読取装置１０１を使用するユーザーは、当該画像読取装置１０１が認証サーバー１０２に対してユーザー情報を送信して行わせるユーザー認証が完了しないと、当該画像読取装置を使用できないものとする。
【００３１】
図３において、画像読取装置１０１は、図４に示すような、ユーザーに対してユーザーＩＤやパスワードなどの認証情報の入力を要求するユーザー名入力欄４０１やパスワード入力欄４０２を設けた初期画面４００をディスプレイ３０２に表示し、ユーザーに認証情報の入力を促す（ステップＳ２０１）。
【００３２】
次に、ユーザーが認証情報を入力してＯＫボタン４０３を押すと、画像読取装置１０１は入力された認証情報を認証サーバー１０２に送信し、認証サーバー１０２に対して認証要求を行う（ステップＳ２０２）。その結果、認証サーバー１０２に登録済みのユーザーであると判定され、認証に成功したときは（ステップＳ２０３でＹＥＳ）、ステップＳ２０４へ進む。一方、認証サーバー１０２に未登録のユーザーであると判定され、認証に失敗したときは（ステップＳ２０３でＮＯ）、当該ユーザーが画像読取装置１０１を使用する権限がないとみなして、図５に示すような認証に失敗した旨のエラー表示画面５００をディスプレイ３０２に表示して（ステップＳ２０９）、ステップＳ２０１へ戻って初期画面４００を表示する。
【００３３】
ステップＳ２０４では、ＣＰＵ３０３は、認証されたユーザーが画像読取装置１０１を初めて使用する新規ユーザーか否かを判定する。具体的には、ステップＳ２０１で入力されたユーザーＩＤが、ユーザー情報ＩＤとして既にメモリ３０４内のユーザー情報記憶領域に登録されているかどうかを確認する。この結果、ユーザー情報記憶領域に登録されていなければ、画像読取装置１０１を初めて使用する新規ユーザーであると判定する一方、既に登録済みであれば、登録済みユーザーであると判定する。
【００３４】
ＣＰＵ３０３は、認証されたユーザーが登録済みのユーザーであると判定した場合は、ステップＳ２０８へ進む一方、ユーザー情報記憶領域に登録されておらず、画像読取装置１０１を初めて使用する新規ユーザーであると判定した場合は（ステップＳ２０４でＹＥＳ）、このユーザーのためのユーザー情報記憶領域を追加登録できるだけの空き容量が、メモリ３０４内に予め確保されているメモリ領域にあるかどうかを判定する（ステップＳ２０５）。この結果、空き容量がないと判定した場合は、図６に示すような登録に失敗した旨のエラー表示画面６００を表示し（ステップＳ２１０）、初期画面４００に戻る一方、空き容量があると判定した場合は、メモリ３０４内に予め確保されているメモリ領域内に新たなユーザー情報記憶領域を作成する（ステップＳ２０６）。
【００３５】
次に、ステップＳ２０６で作成されたユーザー情報記憶領域に対して、ユーザー情報としてのユーザー情報ＩＤを保存すると共に、初期設定情報記憶領域３０８内に保存されている初期設定情報を複製して保存する（ステップＳ２０７）。
【００３６】
ステップＳ２０８では、画像読取処理の条件等を設定する画面（不図示）をディスプレイ３０２に表示し、その画面を用いて設定された条件で画像読取処理を実行する（ステップＳ２０８）。
【００３７】
ステップＳ２０８では、ステップＳ２０４における判定で登録済みのユーザーであるとされた場合に画像読取条件設定画面（不図示）をディスプレイ３０２に表示する。この画像読取条件設定画面では、ユーザーが、メールの宛先やファイル保存先などの送信先に関する設定情報と、解像度や用紙サイズ、読取モード、読み取り面などのスキャン設定情報を変更することができる。一方、この画像読取条件設定画面で表示されるスキャン設定情報は、登録済みであると判定されたユーザーが前回使用したときに設定したスキャン設定情報なので、同じ設定でスキャンを行う場合は当該スキャン設定情報を変更しなくともよい。
【００３８】
そして、スキャン設定情報を設定してスキャン指示がなされると、画像読取装置１０１は、当該設定されたスキャン設定情報に基づいて画像読取処理を行い、指定された送信先に読み取った画像データを送信する。また、設定されたスキャン設定情報は、読取設定情報としてユーザー情報記憶領域内に保存される。これにより、複数のユーザーに対して個別のスキャン設定情報等を画像読取装置に記憶させておけるので、各ユーザーは前回使用時と同一のスキャン設定であれば設定し直す必要がなく、手間を軽減することができる。
【００３９】
また、上述したメールの宛先やファイル保存先などの送信先に関する設定情報もユーザー情報記憶領域内に保存される。
【００４０】
次に、初期設定情報記憶領域３０８に保存されている初期設定情報を管理者が変更する場合の動作手順について図７〜図９を参照して説明する。
【００４１】
図７（ａ）及び図７（ｂ）は、初期設定情報における機能制限情報の設定画面の一例を示す図である。図８は、管理者用のパスワード入力要求画面の一例を示す図であり、図９は、管理者用画面の一例を示す図である。
【００４２】
管理者は、初期設定情報記憶領域３０８に保存している初期設定情報の内容を変更することができる。例えば、外部社員の多い部署内に設置された画像読取装置Ｄ１と内部社員のみのシステム部門内に設置された画像読取装置Ｄ２においては、それらの初期設定情報記憶領域３０８に保存する初期設定情報を異なるものにしなければならない場合がある。すなわち、外部社員も内部社員も共に認証サーバー１０２に登録されているが、機密情報漏洩防止の観点から、外部社員に対して社外へのメール送信を制限したい場合があるからである。
【００４３】
例えば、初期設定情報における機能制限情報の変更例として、画像読取装置に図７（ａ）及び図７（ｂ）に示すような機能制限情報設定画面７０１，７０２を表示させ、当該画面上の操作許可項目を装置の導入時に管理者が設定又は変更しておくことで、メール送信時に使用するアドレス帳の使用権限、編集権限の制限を行うことが可能である。
【００４４】
管理者による初期設定情報の変更時には、画像読取装置１０１は、図８に示すようなパスワード入力欄８０１を設けたパスワード入力要求画面８００を表示し、管理者用の認証情報を入力させる。そして、管理者がＯＫボタン８０２を押すと、画像読取装置１０１は、入力されたパスワードが管理者のものであるかどうかの照合を行う。照合が成功すると、画像読取装置は、図９に示すような管理者画面９００を表示する。
【００４５】
管理者画面９００では、本画像読取装置１０１を使用できるユーザーの登録や削除を行うためのユーザー管理ボタン９０１や初期設定情報を変更するための初期設定情報変更ボタン９０２を表示する。管理者が初期設定情報変更ボタン９０２を押すと、画像読取装置が機能制限情報設定画面７０１又は機能制限情報設定画面７０２を表示する。また、閉じるボタン９０３が押下されると管理者画面９００の表示を終了する。
【００４６】
機能制限情報設定画面７０１，７０２において、アドレス帳Ａは社内アドレスのみが登録されたアドレス帳であり、アドレス帳Ｂは社外アドレスを含んだアドレスが登録されたアドレス帳であるとする。そこで、外部社員が多い部署内に設置された画像読取装置Ｄ１で初期設定を行う場合、管理者は、予め機能制限情報設定画面７０２に示すような初期設定情報の変更を行ってからユーザーの登録を行う。
【００４７】
また、管理者により登録されなかったユーザーが、認証サーバー１０２により認証された場合は、このように変更された初期設定情報が複製され、ユーザー情報記憶領域に記憶される。
【００４８】
このように初期設定情報の変更を行うことで機能制限された画像読取装置Ｄ１では、ユーザーは、管理者により使用が許可されたアドレス帳Ａしか使用することができず、社内アドレスに対してのみメールを送信することができる。
【００４９】
また、内部社員のみのシステム部門内に設置された画像読取装置Ｄ２で初期設定を行う場合、予め機能制限情報設定画面７０１に示すように初期設定情報の変更を行ってからユーザーの登録を行う。このように機能制限を解除された画像読取装置Ｄ２では、ユーザーは、管理者により使用が許可されたアドレス帳Ａ、アドレス帳Ｂを使用することができ、社外アドレスを含んだアドレスに対してメールを送信することができる。
【００５０】
また、システム部門内のユーザーは、アドレス帳Ａ、アドレス帳Ｂの編集権限も与えられているため、アドレス帳Ａ、アドレス帳Ｂに登録されているアドレスをも変更することができる。システム部門内に別の権限を与えられたユーザーがいる場合も同様に、管理者が個別に機能制限情報を変更することで、所望の機能制限を設定することができる。
【００５１】
上記実施の形態によれば、認証サーバー１０２に対してユーザー認証を行って認証されたユーザーが初めて画像読取装置１０１を使用する際に、初期設定情報記憶領域３０８内に記憶されている初期設定情報を、ユーザー固有の設定情報としてユーザー情報記憶領域に複製して記憶させる。これにより、認証されたユーザーが画像読取装置１０１を初めて使用する場合であっても、当該ユーザーが面倒な読取設定等を行うことなく、ログインするだけで予め記憶されているか、管理者により予め設定された初期設定情報を利用して画像読取装置１０１を容易に使用することができる。また、この初期設定情報に基づいて、全てのユーザーに許可されている機能のみを使用させることができる。
【００５２】
また、認証されたユーザーが初めて画像読取装置１０１を使用する際に、画像読取装置１０１は当該ユーザー用の個人管理領域であるユーザー情報記憶領域を作成し、メモリ３０４内の初期設定情報記憶領域３０８に予め記憶されている初期設定情報を複製してユーザー情報記憶領域に記憶させることにより、画像読取装置１０１を初めて使用するユーザーのための無駄な記憶領域を予め確保しておく必要がなく、メモリを効率よく使用することができる。
【００５３】
また、初期設定情報を複製することでユーザー情報記憶領域に記憶されたユーザー固有の設定情報を、所望する内容に変更することが可能である。これにより、管理者がユーザー毎に機能制限設定を変更できるため、権限の異なるユーザーに対して、異なる機能制限を行うこともできる。
【００５４】
また、初期設定情報記憶領域に記憶された初期設定情報を管理者が変更することが可能である。これにより、管理者は多数のユーザーが共通して使うスキャン設定情報等を画像読取装置に記憶させておけるので、管理者がユーザー登録を行う際にこれらを複製することができ、ユーザー固有の設定情報を一人ずつ初期の状態から設定し直す必要がなく、手間を軽減することができる。
【００５５】
図１のシステムにおいて、認証サーバー１０２のアクティブディレクトリに１万人のユーザーが登録されており、１台の画像読取装置１０１を使用するユーザーが約１０人程度である場合、アクティブディレクトリに登録されているユーザー全員に対してはセキュリティレベルを高くしておきたいので、画像読取装置１０１の機能ａと機能ｂの使用を禁止しておく。これにより、アクティブディレクトリに登録されているユーザーがログインするだけで、機能ａと機能ｂが使用できないという制限付きで画像読取装置１０１を使用することができる。
【００５６】
一方、アクティブディレクトリに登録されているユーザーのＡ氏には、機能ａのみを許可したい場合がある。このような場合、画像読取装置が１つの機能制限設定しか保持できないときは、Ａ氏にのみ機能ａの使用を許可することができない。
【００５７】
しかしながら、本実施の形態における画像読取装置１０１では、管理者がユーザー固有の設定情報内の機能制限設定を変更できるため、Ａ氏がログインしたときには機能ａと機能ｂの使用を禁止する制限がつけられているが、管理者に依頼して、例えば機能ａを許可するように機能制限設定を変更してもらうことができる。このように機能制限設定の変更を行うことにより、画像読取装置では個別のユーザーの要望に沿った機能制限の解除を行うことが可能である。
【００５８】
上記実施の形態では、ＩＤとパスワードを認証情報として使用するユーザー認証について説明したが、これに限定されず、ユーザー認証に指紋、虹彩、声紋、掌紋、証文、網膜、整脈、及び顔などを使用したバイオメトリクス認証を使用してもよい。
【００５９】
また、初期設定情報記憶領域３０８に記憶された初期設定情報をユーザー情報記憶領域に複製するタイミングは、登録されたユーザーが初めて該画像読取装置１０１のスキャン設定情報等の設定を変更する際に行ってもよい。その場合、該画像読取装置１０１のスキャン設定情報等の設定を変更する前までは、そのユーザーに対して画像読取装置１０１は、初期設定情報記憶領域３０８に記憶されている読取設定情報や機能制限情報についての初期設定情報に基づいて画像読取を行う。
【００６０】
また、認証サーバー１０２に対してユーザー認証を行う他に、画像読取装置１０１内に認証情報を登録し、初期画面４００でユーザーによって入力された認証情報と画像読取装置１０１内に登録された認証情報とが一致するか否かによって行うユーザー認証を併用してもよい。さらに、ユーザーが認証サーバー１０２又は画像読取装置１０１のいずれか１つを選択してユーザー認証が行えるようにしてもよい。
【００６１】
また、本発明には、画像読取装置が接続されたＰＣ等のホスト装置をネットワークに接続し、当該ネットワークを介して認証サーバーでユーザー認証を行う場合も含まれる。
【００６２】
本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【００６３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部又は全部を行い、その処理によって前述した実施形態の機能が実現される場合も含まれる。
【００６５】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部又は全部を行う場合である。
【００６６】
また、コンピュータが読み出したプログラムコードを実行することにより、前述した各実施の形態の機能が実現される場合も本発明に含まれる。加えて、そのプログラムコードの指示に基づき、コンピュータ上で稼働しているＯＳなどが実際の処理の一部又は全部を行い、その処理によって前述した実施の形態の機能が実現する場合も含まれる。この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００６７】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００６８】
【図１】本発明の実施形態に係る画像読取装置を備えるシステムの全体構成を示す図である。
【図２】図１の画像読取装置の概略構成を示すブロック図である。
【図３】図１の画像読取装置で画像読取処理前に実行されるユーザー認証処理のフローチャートである。
【図４】画像読取装置のディスプレイに表示される初期画面の一例を示す図である。
【図５】認証失敗時に表示するエラー表示画面の一例を示す図である。
【図６】登録エラー時に表示するエラー画面の一例を示す図である。
【図７】初期設定情報における機能制限情報の設定画面の一例を示す図であり、（ａ）は機能制限を解除された場合の設定画面、（ｂ）は機能制限された場合の設定画面を示す。
【図８】管理者用のパスワード入力要求画面の一例を示す図である。
【図９】管理者用画面の一例を示す図である。
【符号の説明】
【００６９】
１０１  画像読取装置
１０２  認証サーバー
１０３  ユーザーＰＣ
１０４  ネットワーク
３０１  画像読取部
３０２  ディスプレイ
３０３  ＣＰＵ
３０４  メモリ
３０５，３１０，３１１，３１２  ユーザー情報記憶領域
３０６  キーボード
３０７  タッチパネル
３０８  初期設定情報記憶領域
【図１】
2008153750.tif 000003
【図２】
2008153750.tif 000004
【図３】
2008153750.tif 000005
【図４】
2008153750.tif 000006
【図５】
2008153750.tif 000007
【図６】
2008153750.tif 000008
【図７】
2008153750.tif 000009
【図８】
2008153750.tif 000010
【図９】
2008153750.tif 000011